(57)【要約】【課題】各商品の需要予測数に対する検討要否を提示することで発注作業効率の向上を図る。【解決手段】商品発注システム１は、商品の発注数に関する閾値を設定する本部サーバ１０と、各商品に対する発注予測数を設定する情報配信サーバ３０と、店舗に配置され、操作部２３を介して各商品の発注数を設定する店舗サーバ２０とを備える。店舗サーバ２０は、商品毎の発注数欄を含む商品発注表を表示部２２に表示すると共に、情報配信サーバ３０で設定した発注予測数を対応する商品の発注数欄に表示する発注画面表示処理部２１１と、発注数欄に表示された発注予測数と閾値とを比較して、発注予測数が閾値未満である商品の発注数欄の表示形態を強調表示する予測数表示処理部２１３と、操作部２３の入力操作により発注数欄に表示された数値を変更し、発注数を確定する商品発注数確定部２１４とを備える。【選択図】図２
2018081408.tif 000002
【特許請求の範囲】
【請求項１】
商品の発注数に関する閾値を設定する閾値設定部と、
各商品に対する発注予測数をファイル及びサーバの一方から取り込み、設定する発注予測数設定部と、
少なくとも商品毎の発注数欄を含む商品発注表を表示部に表示すると共に、前記発注予測数設定部で設定した発注予測数を対応する商品の前記発注数欄に表示する表示処理部と、
前記発注数欄に表示された発注予測数と前記閾値とを比較して、前記発注予測数が前記閾値未満である商品の発注数欄の表示形態を、他の発注数欄の表示形態に対して変更する予測数表示処理部と、
操作部の入力操作により前記発注数欄に表示された数値を変更し、発注数を確定する商品発注数確定部とを備えることを特徴とする商品発注システム。
【請求項２】
前記予測数表示処理部は、前記表示形態が変更された商品発注欄の数値の変更を無効にする請求項１に記載の商品発注システム。
【請求項３】
前記予測数表示処理部は、前記操作部からの解除指示を受け付けて、前記変更を無効にする処理を解除するものである請求項２に記載の商品発注システム。
【請求項４】
前記商品は、複数のカテゴリーに分類され、
前記閾値設定部は、カテゴリー毎に閾値を設定し、
前記予測数表示処理部は、前記発注数欄に表示された発注予測数と、当該発注数欄の商品のカテゴリーに対応する閾値とを比較する請求項１〜３のいずれかに記載の商品発注システム。
【請求項５】
前記表示処理部、前記予測数表示処理部及び前記商品発注数確定部は店舗に設置された店舗サーバに設けられ、
前記閾値設定部及び前記発注予測数設定部はそれぞれのサーバに設けられ、
前記店舗サーバと前記閾値設定部のサーバと、及び前記店舗サーバと前記発注予測数設定部のサーバとは、それぞれネットワークを経由して通信可能に接続されている請求項１〜４のいずれかに記載の商品発注システム。
【請求項６】
前記店舗サーバは複数の店舗にそれぞれ設置され、前記閾値設定部及び前記発注予測数設定部は、店舗毎に、閾値及び各商品に対する発注予測数を設定する請求項５に記載の商品発注システム。
【請求項７】
閾値設定部で設定された商品の発注数に関する閾値、及びファイル及びサーバの一方から取り込み、発注予測数設定部で設定された各商品に対する発注予測数を取得する取得部と、
少なくとも商品毎の発注数欄を含む商品発注表を表示部に表示すると共に、前記発注予測数設定部で設定した発注予測数を対応する商品の前記発注数欄に表示する表示処理部と、
前記発注数欄に表示された発注予測数と前記閾値とを比較して、前記発注予測数が前記閾値未満である商品の発注数欄の表示形態を、他の発注数欄の表示形態に対して変更する予測数表示処理部と、
操作部の入力操作により前記発注数欄に表示された数値を変更し、発注数を確定する商品発注数確定部とを備えた商品発注サーバ。
【請求項８】
閾値設定部で設定された商品の発注数に関する閾値、及びファイル及びサーバの一方から取り込み、発注予測数設定部で設定された各商品に対する発注予測数を取得する取得手段、
少なくとも商品毎の発注数欄を含む商品発注表を表示部に表示すると共に、前記発注予測数設定部で設定した発注予測数を対応する商品の前記発注数欄に表示する表示処理手段、
前記発注数欄に表示された発注予測数と前記閾値とを比較して、前記発注予測数が前記閾値未満である商品の発注数欄の表示形態を、他の発注数欄の表示形態に対して変更する予測数表示処理手段、及び、
操作部の入力操作により前記発注数欄に表示された数値を変更し、発注数を確定する商品発注数確定手段、として商品発注サーバを機能させる商品発注プログラム。
【発明の詳細な説明】
【技術分野】
【０００１】
本発明は、表示部に表示された商品発注表を介して商品の発注数を設定する商品発注技術に関する。
【背景技術】
【０００２】
従来、複数の店舗を運営、管理する態様として全店舗の商品管理を本部で一括して行う態様が知られている。この場合、本部の本部サーバは、各店舗の店舗サーバからの商品の発注を受けて、まとめて外部業者に発注している。各店舗サーバでは、商品発注作業を効率的に行うために、商品の販売実績等に基づいて需要予測数を算出するサービスを提供するベンダ（vendor）等から入手している。入手された需要予測数を含む商品注文表は店舗サーバの表示部に表示され、店舗の商品発注担当者は、画面を観ながら、各商品の需要予測数を元に検討を行い、キー入力等で最終的な発注数を設定していた。しかしながら、一般的に店舗で扱う商品数は、数千から数万点に及ぶことから、各商品に対して検討を行って最終的な発注数を正確に入力することは容易でなく、時間的な制約も考慮すると入力ミス等の発生も懸念される。
【０００３】
ところで、商品の注文時における入力ミスを防止する技術として、ＰＣ端末を利用して電子店舗サーバとの間で電子商取引を行うシステムにおいて、注文数を大きく入力し損なったり、重複して注文したりする操作ミスによる誤注文を、電子店舗サーバ側で監視し、上記に該当する場合には、該当商品の欄を出力して、注文者に注文内容の確認を求めるようにしたものが提案されている（特許文献１）。
【先行技術文献】
【特許文献】
【０００４】
【特許文献１】特開２００３−２７１８５２号公報
【発明の概要】
【発明が解決しようとする課題】
【０００５】
特許文献１に記載された技術は、家庭のＰＣ端末からの商品注文が操作ミスによるものか否かを電子店舗サーバ側で監視するというものであり、数千乃至は数万点に及ぶ商品に対する発注数の入力を店舗側で効率的に行わせる方法を提案するものではない。従来の店舗サーバでは、外部から入手する需要予測数を元に各商品の最終的な注文数を担当者の手作業によって決定（修正入力など）しているのみであり、発注数の入力に要する時間及び発注作業効率の点から、需要予測数の情報を有効に活用することが望まれる。
【０００６】
本発明は、前記課題に鑑みてなされたもので、各商品の需要予測数に対する検討要否を提示することで発注作業効率を向上させる商品発注システム、商品発注サーバ及び商品発注プログラムを提供することを目的とする。
【課題を解決するための手段】
【０００７】
本発明に係る商品発注システムは、商品の発注数に関する閾値を設定する閾値設定部と、各商品に対する発注予測数をファイル及びサーバの一方から取り込み、設定する発注予測数設定部と、少なくとも商品毎の発注数欄を含む商品発注表を表示部に表示すると共に、前記発注予測数設定部で設定した発注予測数を対応する商品の前記発注数欄に表示する表示処理部と、前記発注数欄に表示された発注予測数と前記閾値とを比較して、前記発注予測数が前記閾値未満である商品の発注数欄の表示形態を、他の発注数欄の表示形態に対して変更する予測数表示処理部と、操作部の入力操作により前記発注数欄に表示された数値を変更し、発注数を確定する商品発注数確定部とを備えることを特徴とするものである。
【０００８】
また、本発明に係る商品発注サーバは、閾値設定部で設定された商品の発注数に関する閾値、及びファイル及びサーバの一方から取り込み、発注予測数設定部で設定された各商品に対する発注予測数を取得する取得部と、少なくとも商品毎の発注数欄を含む商品発注表を表示部に表示すると共に、前記発注予測数設定部で設定した発注予測数を対応する商品の前記発注数欄に表示する表示処理部と、前記発注数欄に表示された発注予測数と前記閾値とを比較して、前記発注予測数が前記閾値未満である商品の発注数欄の表示形態を、他の発注数欄の表示形態に対して変更する予測数表示処理部と、操作部の入力操作により前記発注数欄に表示された数値を変更し、発注数を確定する商品発注数確定部とを備えたものである。
【０００９】
また、本発明に係る商品発注プログラムは、閾値設定部で設定された商品の発注数に関する閾値、及びファイル及びサーバの一方から取り込み、発注予測数設定部で設定された各商品に対する発注予測数を取得する取得手段、少なくとも商品毎の発注数欄を含む商品発注表を表示部に表示すると共に、前記発注予測数設定部で設定した発注予測数を対応する商品の前記発注数欄に表示する表示処理手段、前記発注数欄に表示された発注予測数と前記閾値とを比較して、前記発注予測数が前記閾値未満である商品の発注数欄の表示形態を、他の発注数欄の表示形態に対して変更する予測数表示処理手段、及び、操作部の入力操作により前記発注数欄に表示された数値を変更し、発注数を確定する商品発注数確定手段、として商品発注サーバを機能させるものである。
【００１０】
これらの発明によれば、取得手段によって、閾値設定部で設定された商品の発注数に関する閾値及び発注予測数設定部で設定された各商品に対する発注予測数が取得されると、表示処理部によって、少なくとも商品毎の発注数欄を含む商品発注表が表示部に表示されると共に、前記発注予測数設定部で設定した発注予測数が対応する商品の前記発注数欄に表示される。次いで、予測数表示処理部によって、前記発注数欄に表示された発注予測数と前記閾値とが比較され、前記発注予測数が前記閾値未満である商品の発注数欄の表示形態が、他の発注数欄の表示形態に対して変更される。そして、商品発注数確定部によって、操作部の入力操作により前記発注数欄に表示された数値が変更されて発注数が確定され、この後、発注が指示される。
【００１１】
このように、発注予測数が閾値未満である商品の発注数欄の表示形態が、他の発注数欄の表示形態に対して変更されているので、商品発注担当者が、検討を要しない発注数欄を容易に飛び越して、次に検討するべき商品の発注数欄の数値の適否についての検討に移行することができるので、その分、商品発注作業の効率が向上する。
【００１２】
また、前記予測数表示処理部は、前記表示形態が変更された商品発注欄の数値の変更を無効にするものである。この構成によれば、変更入力を無効にすることで、作業効率は効果的に上がる。
【００１３】
また、前記予測数表示処理部は、前記操作部からの解除指示を受け付けて、前記変更を無効にする処理を解除するものである。この構成によれば、特別の理由、緊急な事情変更などによって変更が必要な場合にも対応可能となり、高い汎用性を備える。
【００１４】
また、前記商品は、複数のカテゴリーに分類され、前記閾値設定部は、カテゴリー毎に閾値を設定し、前記予測数表示処理部は、前記発注数欄に表示された発注予測数と、当該発注数欄の商品のカテゴリーに対応する閾値とを比較するものである。この構成によれば、閾値の設定精度が向上する。また、検討対象となる商品数を適宜の数に絞り込むことも可能となる。
【００１５】
また、前記表示処理部、前記予測数表示処理部及び前記商品発注数確定部は店舗に設置された店舗サーバに設けられ、前記閾値設定部及び前記発注予測数設定部はそれぞれのサーバに設けられ、前記店舗サーバと前記閾値設定部のサーバと、及び前記店舗サーバと前記発注予測数設定部のサーバとは、それぞれネットワークを経由して通信可能に接続されているものである。この構成によれば、各店舗での商品発注作業は、ネットワークを介して閾値及び発注予測数の提供を受けることで作業効率が向上する。
【００１６】
また、前記店舗サーバは複数の店舗にそれぞれ設置され、前記閾値設定部及び前記発注予測数設定部は、店舗毎に、閾値及び各商品に対する発注予測数を設定するものである。この構成によれば、閾値設定部及び発注予測数設定部は、それぞれの店舗の閾値及び各商品に対する発注予測数を設定し、提供するようにしたので、情報設定処理が効果的となる。
【発明の効果】
【００１７】
本発明によれば、商品発注作業の効率を向上させることができる。
【図面の簡単な説明】
【００１８】
【図１】本発明の第１実施形態に係る商品発注システムのブロック図である。
【図２】店舗サーバのブロック図である。
【図３】店舗サーバの商品発注表の一例を示す画面図である。
【図４】情報配信サーバが実行する発注予測数に関する処理のフローチャートである。
【図５】本部サーバが実行する閾値に関する処理のフローチャートである。
【図６】店舗サーバが実行する商品の発注処理のフローチャートである。
【図７】ステップＳ３のサブルーチンの一例である。
【発明を実施するための形態】
【００１９】
図１において、商品発注システム１は、本部サーバ１０、１又は複数の店舗サーバ２０及び情報配信サーバ３０を含み、本部サーバ１０と店舗サーバ２０、及び店舗サーバ２０と情報配信サーバ３０とは、ネットワーク４０で接続されている。本部サーバ１０は、店舗の商品、売上データ等の管理を行うもので、本実施形態で必要な構成として、閾値設定部１１及び商品情報記憶部１２を備えている。店舗サーバ２０の構成は、図２で詳述する。情報配信サーバ３０は、商品の需要予測を実行する外部サービス業者等で、発注予測数設定部３１及び商品情報記憶部３２を備えている。
【００２０】
商品発注システム１を利用した商品発注処理の概要は、以下の通りである。まず、店舗の商品発注担当者が店舗サーバ２０の表示部２２（図２参照）にテーブル形式の商品発注表２２０（図３参照）を表示させ、この商品発注表２２０で商品の発注数を入力して本部サーバ１０に送信することで、店舗から本部へ商品発注を行う。このとき、本部サーバ１０は、店舗サーバ２０から商品発注要求を受けると、閾値を設定して返送し、情報配信サーバ３０は、発注予測数を算出して返送する。店舗サーバ２０は、受信した発注予測数を商品発注表内の発注数欄に表示する。
【００２１】
店舗サーバ２０では、発注数欄に表示された数値が閾値未満である発注数欄に対して、他とは区別可能な、例えば強調表示が施され、かつ当該発注数欄に対しては数値の変更が無効とされる。従って、閾値は、発注作業効率の向上を図る点から、発注予測数の適否を検討する必要が有るか否かを判断する指標として機能し、発注予測数が閾値以上の場合は、検討することを要するものとし、一方、発注予測数が閾値未満の場合は、数量が少ないことなどから検討するまでもないとした。そこで、店舗の商品発注担当者は、変更が許可される発注数欄の数値について、その適否を検討し、必要に応じて数値変更を行って最終的に発注数を決定する。そして、決定後に本部サーバ１０への送信を指示する。
【００２２】
図１に戻り、情報配信サーバ３０において、商品情報記憶部３２は、各店舗の店舗サーバ２０から、例えば日単位で商品毎の売上データを受信し、店舗毎に保管するものである。発注予測数設定部３１は、店舗サーバ２０から発注要求があると、発注要求のあった店舗の各商品の発注予測数の算出を行い、算出結果を発注要求元の店舗サーバ２０に返送する。なお、算出結果は、商品情報記憶部３２で保管される。商品の発注予測数の算出は、当該店舗における商品毎の売上データの履歴、現在の在庫データ、及び前回の発注要求日時と今回の発注要求日時等に基づいて算出される。
【００２３】
本部サーバ１０の商品情報記憶部１２は、例えば日単位での商品毎の売上データ、各店舗の店舗サーバ２０からの商品毎の発注数データを保管するものである。閾値設定部１１は、店舗サーバ２０から発注要求があると、店舗の商品発注数に対する閾値の算出結果又は予め設定した閾値を発注要求元の店舗サーバ２０に返送する。なお、算出結果及び予め設定した閾値は、商品情報記憶部１２で保管される。商品の発注数に対する閾値は、当該店舗における商品毎の売上データ履歴、現在の在庫データ、及び前回の発注要求日時と今回の発注要求日時等に基づいて得られる。閾値は、店舗単位で設定、すなわち全商品に対して１個だけ設定してもよいし、商品をある程度、商品種類（例えば、化粧品類、薬類、…）に応じてグループ分けし、各グループに対してそれぞれの閾値を設定して精度向上を図る態様としてもよい。また、これにより、検討対象となる商品数を適宜の数に絞り込むことも可能となる。
【００２４】
店舗サーバ２０は、商品発注端末として機能するもので、図２に示すように、マイクロコンピュータで構成される処理部２１を備えている。処理部２１には、画像を表示する表示部２２、操作部２３、ネットワーク４０を介して本部サーバ１０、情報配信サーバ３０と通信を行うための通信部２４、処理プログラムを記憶するＲＯＭ２５、及び後述する各種データを記憶する記憶部２６が接続されている。操作部２３は、テンキーを含むキーボードやマウス等、さらに表示部２２の画面に積層される感圧素子等からなる公知のタッチパネルで構成されてもよい。また、処理部２１には、店舗内の適所、例えばレジコーナーに配置される１乃至は複数台の公知のレジ端末２０１が接続されている。レジ端末２０１は、バーコードリーダ等を備え、商品に関する情報、例えば商品に貼られたシートに表記された商品コード、商品名及び売価等を読み取って、読み取った内容を売上データとして店舗サーバ２０に送信する。
【００２５】
記憶部２６は、商品に関連する情報を全て記憶するもので、本実施形態では、商品の発注・在庫データ、発注予測数の算出に影響する需要予測情報等を記憶する発注ＤＢ部、価格等を含む商品データを記憶する商品ＤＢ部、売上データ、各取引毎の売上情報を含む売上ＤＢ部、及び発注予測数、閾値情報を含む配信情報ＤＢ部を少なくとも備えている。
【００２６】
図３は、表示部２２に表示された商品発注表２２０を示している。商品発注表２２０は、店舗で扱う商品のリストが画面の左端に商品コード欄として表示されている。商品数は数千乃至は数万点に及ぶことから、必要に応じて商品発注表２２０をフリック操作することで上下方向にスクロール可能にし、あるいは図略のボタンでページ単位で上下移動可能にし、さらには図略の縦スクロール用カーソルをスワイプすることで高速でのスクロール移動を可能にする。
【００２７】
商品コード欄から右側に向かって順番に、商品名欄、発注日欄、原価欄、売価欄、前回発注日欄、発注数欄、在庫数欄が一例として設けられている。また、商品発注表２２０の例えば下部域には、少なくとも閾値欄２２１、発注数チェック解除ボタン２２２及び登録ボタン２２３が表示されている。なお、発注数チェック解除ボタン２２２及び登録ボタン２２３の働きについては後述する。
【００２８】
処理部２１は、処理プログラムがＣＰＵで実行されることによって、発注画面表示処理部２１１、情報取得部２１２、予測数表示処理部２１３、商品発注数確定部２１４及び通信処理部２１５として機能する。
【００２９】
発注画面表示処理部２１１は、処理プログラムのひとつである商品発注アプリケーションが起動されると、記憶部２６から商品に関するデータを読み出し、図３に示す商品発注表２２０の各欄に入力して表示部２２に表示する。また、発注画面表示処理部２１１は、商品発注数確定部２１４によって変更入力された数値を該当する発注数欄に入力して表示させる。
【００３０】
情報取得部２１２は、前記商品発注アプリケーションが起動されると、本部サーバ１０及び情報配信サーバ３０に対して発注要求を送信し、かかる発注要求に応じて生成される本部サーバ１０での閾値、情報配信サーバ３０での発注予測数の情報の返送を待機して受信し、記憶部２６に取り込む。情報取得部２１２は、返送された閾値を閾値欄２２１に表示すると共に、返送されてきた発注予測数を商品発注表２２０の発注数欄に商品に対応させて入力する処理を行う。なお、情報取得部２１２は、情報配信サーバ３０に代えて、別途に取得した、発注予測数を含むデータが書き込まれているファイルから、取り扱う商品の発注予測数を取り込んで設定する態様でもよい。また、情報取得部２１２は、本部サーバ１０で設定された閾値を予め取り込んでおく形態でもよく、発注予測数の取込タイミングと必ずしも合わせなくてもよい。
【００３１】
予測数表示処理部２１３は、例えば商品リストの先頭から最後に向けて順番に、発注予測数と閾値との大小を比較し、発注予測数が閾値未満の場合、発注数欄の表示を他の発注数欄の表示に比べて区別可能に、例えば強調表示に変更する処理を行う。例えば、図３の例では、閾値が“５”のとき、商品コード「１１１１１１」，「２２２２２２」，「３３３３３３」，「５５５５５５」，「７７７７７７」，「８８８８８８」の商品の発注数は５未満である。従って、これらの商品の発注数欄は所定の色にハイライト表示されて、その他の発注数欄の表示と比べて区別可能となっている。なお、区別可能な表示の態様としては、表示欄についての表示態様の他、表示欄に表示される数値の表示態様を変更するようにしてもよい。区別可能な表示例としては、ハイライトの有無で区別する他、色、点灯／点滅、大きさ、太さ等種々の態様が採用可能である。このように、閾値未満の商品について強調表示等を行うことで、商品発注作業において、強調表示等された商品の発注数欄を容易に飛び越えて次商品へ移行することが容易となり、作業性が向上する。
【００３２】
また、予測数表示処理部２１３は、強調表示された発注数欄の数値の変更入力を無効にする。無効には、強調表示された発注数欄の数値変更が受け付けられない態様、強調表示された発注数欄の指定自体が受け付けられない態様を含む。このように、閾値は店舗の売上、在庫状況等に基づいて設定された信頼できる数値であることから、閾値未満の発注数の商品であれば、数量も少なく格別に検討を要せず、そのまま発注しても差し支えないと考えられることから、変更操作を無効にして当該商品の発注数を不用意に変更することのないようにしている。
【００３３】
一方で、予測数表示処理部２１３は、ある商品が指定されている状態で、発注数チェック解除ボタン２２２が押下された場合、当該発注数欄の強調表示が元の状態に戻り、発注数の変更が許可される。これによって、発注数以外の項目、例えば高額商品であるなどの特別の事情の有無を参照して、必要な場合には、発注数の変更が許可される。
【００３４】
商品発注数確定部２１４は、閾値以上の発注数の商品に対する発注数の変更入力を受け付けたり、発注数チェック解除ボタン２２２が押下された場合の、閾値未満の商品に対する発注数の変更入力を受け付けたりして、発注数を確定する。
【００３５】
続いて、図４は、情報配信サーバ３０が実行する発注予測数に関する処理のフローチャートである。発注要求を受けると起動して、発注予測数設定部３１によって、対象となる店舗を特定し、当該店舗における各商品の発注予測数が算出される（ステップＱ１）。次いで、算出された発注予測数が発注要求元である店舗サーバ２０に返送される（ステップＱ３）。
【００３６】
図５は、本部サーバ１０が実行する閾値に関する処理のフローチャートである。発注要求を受けると起動して、閾値設定部１１によって、対象となる店舗を特定し、当該店舗における閾値が設定される（ステップＳＴ１）。次いで、設定された閾値が発注要求元である店舗サーバ２０に返送される（ステップＳＴ３）。
【００３７】
図６は、店舗サーバ２０が実行する商品発注処理のフローチャートである。商品発注アプリケーションが起動されると、外部から閾値及び発注予測数が取得されて、商品発注表２２０の発注数欄に発注予測数が表示される（ステップＳ１）。次いで、商品発注表２２０の各商品に対して、発注予測数と閾値との大小比較が行われて、発注予測数が閾値未満となる商品の発注数欄に対して強調表示が行われると共に、発注数の変更入力を無効にする設定が行われる（ステップＳ３）。
【００３８】
ここで、ステップＳ３の処理を図７のサブルーチンで説明する。図７において、まず、先頭の商品に対して、発注予測数＜閾値か否かの判断が行われる（ステップＳ３１）。発注予測数＜閾値でなければ（ステップＳ３１でＮｏ）、全商品に対して大小比較のチェックが済んだか否かが判断され（ステップＳ３７）、済んだのであれば、ステップＳ５にリターンする。一方、済んでいなければ、次の商品に移行して（ステップＳ３９）、ステップＳ３１に戻る。
【００３９】
一方、ステップＳ３１でＹｅｓ、すなわち発注予測数＜閾値であれば、当該商品の発注数欄に対して強調表示が行われ（ステップＳ３３）、さらに発注数の変更入力を無効にする設定が行われて（ステップＳ３５）、ステップＳ３７に進む。そして、最後の商品まで同様な処理が繰り返されて、ステップＳ５にリターンする。
【００４０】
図６に戻って、ステップＳ５において、ある商品が指定されている状態で発注数の変更入力の有無が判断される。そして、変更入力があると判断された場合、当該商品が変更不可の発注数欄か否かが判断され（ステップＳ７）、変更不可の発注数欄であれば、入力無効処理が実行され（ステップＳ９）。一方、変更不可の発注数欄でなければ、発注数の変更が受け付けられて、変更内容が表示される（ステップＳ１１）。次いで、発注指示、すなわち登録ボタン２２３が押下されたか否かが判断され、登録ボタン２２３が押下されていない状態で、発注数の変更入力があると判断されると、ステップＳ７〜ステップＳ１３までの処理が繰り返される。一方、ステップＳ１３で、登録ボタン２２３が押下されたのであれば、発注処理が終了する。
【００４１】
なお、第１実施形態では情報配信サーバ３０を外部に独立して配置しているが、第２実施形態として、本部サーバ１０内、あるいは各店舗サーバ２０内に設ける構成としてもよい。また、各店舗サーバ２０内に本部サーバ１０及び情報配信サーバ３０の機能を含めた構成としてもよい。また、第１実施形態のシステム構成では、チェーン店として展開されるスーパーマーケットを想定したが、これに限定されず、１店舗で全ての処理を行う態様でもよい。
【００４２】
また、第１実施形態では、発注予測数に対して検討要否判断のための閾値を設定したが、第３実施形態として、発注予測数とは別に乃至は発注予測数に加えて他のパラメータ、例えば高額商品か否か等を採用してもよい。
【００４３】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００４４】
１  商品発注システム
１０  本部サーバ
１１  閾値設定部
１２  商品情報記憶部
２０  店舗サーバ
２１  処理部
２０１  レジ端末
２１１  発注画面表示処理部
２１２  情報取得部
２１３  予測数表示処理部
２１４  商品発注数確定部
２１５  通信処理部
２２  表示部
２３  操作部
２４  通信部
２５  ＲＯＭ
２６  記憶部
２２０  商品発注画面
２２１  閾値欄
２２２  発注数チェック解除ボタン
２２３  登録ボタン
３０  情報配信サーバ
３１  発注予測数設定部
３２  商品情報記憶部
４０  ネットワーク
【図１】
2018081408.tif 000003
【図２】
2018081408.tif 000004
【図３】
2018081408.tif 000005
【図４】
2018081408.tif 000006
【図５】
2018081408.tif 000007
【図６】
2018081408.tif 000008
【図７】
2018081408.tif 000009